(57)【要約】【課題】ケープ以外の他の用途（例えば、枕カバー、着用者の腕を通して着用できるボレロ）にも使用することができる多目的タオルの提供を図る。【解決手段】長方形の多目的タオル１１であって、短辺側の左辺１４に、左枕用係止部２１、前左兼用係止部３１、後左兼用係止部３３を設ける。対向する右辺１５に、右枕用係止部２２、前右兼用係止部３２、後左兼用係止部３３を設ける。枕１６に多目的タオル１１を巻き付け、左辺１４と右辺１５とを合わせて、左枕用係止部２１、前左兼用係止部３１、後左兼用係止部３３と、右枕用係止部２２、前右兼用係止部３２、後右兼用係止部３４とを夫々を係止することによって、枕カバーとしてすることが使用できる。着用者の肩に多目的タオル１１を掛けて、上にした方の一対の前左兼用係止部３１、前右兼用係止部３２同士を着用者の前で係止することによって、ケープとして使用することができる。【選択図】図２
0003183966.tif 000002
【実用新案登録請求の範囲】
【請求項１】
長辺側の前辺及び後辺と、短辺側の左辺及び右辺とによって規定される長方形のタオルと、枕用係止部と、兼用係止部とを備え、
前記枕用係止部は、前記左辺及び前記右辺の夫々における中程に設けられた左右一対の着脱可能な係止部を含み、
前記兼用係止部は、前記左辺及び前記右辺の夫々における前辺寄りと後辺寄りとの２箇所に設けられた左右二対の着脱可能な係止部を含み、
枕に前記タオルを巻き付け、前記左辺と前記右辺とを合わせて、前記左右一対の枕用係止部同士を係止すると共に、前記左右二対の兼用係止部同士とを係止することによって、枕カバーとしてすることが使用でき、
前記前辺又は前記後辺を上にして、着用者の肩に前記タオルを掛けて、前記左右二対の兼用係止部のうち、上にした方の一対の前記兼用係止部同士を着用者の前で係止することによって、ケープとして使用することができることを特徴とする多目的タオル。
【請求項２】
前記兼用係止部は、前記左辺及び前記右辺の夫々における前辺寄りと後辺寄りとの２箇所に設けられた左右二対の着脱可能な係止部を含み、
前記兼用係止部は、雄雌嵌合のスナップボタンによって構成され、
前記タオルの一方の対角線上にある係止部は、雄のスナップボタンによって構成され、
前記タオルの他方の対角線上にある係止部は、雌のスナップボタンによって構成され、
前記前辺又は前記後辺を上にして、着用者の肩に前記タオルを掛け、前記左辺における兼用係止部同士を係止することにより、左辺によって着用者の左腕が通される環状部が形成されると共に、前記右辺における兼用係止部同士を係止することにより、右辺によって着用者の右腕が通される環状部が形成されることによって、ボレロとして使用することができることを特徴とする請求項１記載の多目的タオル。
【請求項３】
前記左辺及び前記右辺の夫々における前辺寄りと後辺寄りとの２箇所に、左右二対の着脱可能なボレロ用係止部が設けられ、
前記枕用係止部、前記兼用係止部及び前記ボレロ用係止部の夫々は、雄雌嵌合のスナップボタンによって構成され、
前記左右一対の枕用係止部は、前記タオルの表面と裏面とに設けられ、
前記左右二対の兼用係止部は、各対が、前記タオルの表面と裏面とに設けられ、
前記左右二対のボレロ用係止部は、その全てが、前記タオルの表面か裏面かの何れか一方の面にのみ設けられことを特徴とする請求項１記載の多目的タオル。
【考案の詳細な説明】
【技術分野】
【０００１】
本考案は、身体を拭く目的以外にも使用できるようにした多目的タオルに関するものである。
【背景技術】
【０００２】
特許文献１や２に示すように、従来より、身体を拭く目的以外にも使用できるようにした多目的タオルは提案されている。
【０００３】
特許文献１にあっては、タオルの左上角と右上角との２箇所に係止具を設けて、ケープとして着用できるようにすることが提案されている。ところが、この特許文献１では、ケープ以外の他の用途に使用できることを提案しておらず、また、他の用途のために必要な手段も備えていない。
【０００４】
特許文献２は、多くの係止具をタオルの長辺に沿って設けることによって、単に肩に掛けて係止するだけではなく、さらに着用に適したものとすることを提案している。ところが、この特許文献２にあっても、ケープ以外の他の用途に使用できることを提案しておらず、また、他の用途のために必要な手段も備えていない。
さらに何れの特許文献にあっても、着用者の腕を通して着用できるようにすることを提案していない。
【先行技術文献】
【特許文献】
【０００５】
【特許文献１】特開２００６−３０５２６２号公報
【特許文献２】実開平１−９５１８７号公報
【考案の概要】
【考案が解決しようとする課題】
【０００６】
本考案は、ケープ以外の他の用途にも使用することができる多目的タオルの提供を課題とする。
本考案は、ケープ以外の他の用途として、枕カバー、着用者の腕を通して着用できるボレロとしても使用することができる多目的タオルの提供を課題とする。
【課題を解決するための手段】
【０００７】
本考案に係る多目的タオルは、長辺側の前辺及び後辺と、短辺側の左辺及び右辺とによって規定される長方形のタオルと、枕用係止部と、兼用係止部とを備え、前記枕用係止部は、前記左辺及び前記右辺の夫々における中程に設けられた左右一対の着脱可能な係止部を含み、前記兼用係止部は、前記左辺及び前記右辺の夫々における前辺寄りと後辺寄りとの２箇所に設けられた左右二対の着脱可能な係止部を含み、枕に前記タオルを巻き付け、前記左辺と前記右辺とを合わせて、前記左右一対の枕用係止部同士を係止すると共に、前記左右二対の兼用係止部同士とを係止することによって、枕カバーとしてすることが使用でき、前記前辺又は前記後辺を上にして、着用者の肩に前記タオルを掛けて、前記左右二対の兼用係止部のうち、上にした方の一対の前記兼用係止部同士を着用者の前で係止することによって、ケープとして使用することができる。
【０００８】
前記兼用係止部は、前記左辺及び前記右辺の夫々における前辺寄りと後辺寄りとの２箇所に設けられた左右二対の着脱可能な係止部を含み、前記兼用係止部は、雄雌嵌合のスナップボタンによって構成され、前記タオルの一方の対角線上にある係止部は、雄のスナップボタンによって構成され、前記タオルの他方の対角線上にある係止部は、雌のスナップボタンによって構成され、前記前辺又は前記後辺を上にして、着用者の肩に前記タオルを掛け、前記左辺における兼用係止部同士を係止することにより、左辺によって着用者の左腕が通される環状部が形成されると共に、前記右辺における兼用係止部同士を係止することにより、右辺によって着用者の右腕が通される環状部が形成されることによって、ボレロとして使用することができる。
【０００９】
前記左辺及び前記右辺の夫々における前辺寄りと後辺寄りとの２箇所に、左右二対の着脱可能なボレロ用係止部が設けられ、前記枕用係止部、前記兼用係止部及び前記ボレロ用係止部の夫々は、雄雌嵌合のスナップボタンによって構成され、前記左右一対の枕用係止部は、前記タオルの表面と裏面とに設けられ、前記左右二対の兼用係止部は、各対が、前記タオルの表面と裏面とに設けられ、前記左右二対のボレロ用係止部は、その全てが、前記タオルの表面か裏面かの何れか一方の面にのみ設けられたものとして実施することもできる。
【考案の効果】
【００１０】
本考案は、ケープ以外の他の用途にも使用することができる多目的タオルを提供することができたものである。特に、本考案は、ケープ以外の他の用途として、枕カバー、着用者の腕を通して着用できるボレロとしても使用することができる多目的タオルをすることができたものである。
【図面の簡単な説明】
【００１１】
【図１】本考案の第１の実施の形態に係る多目的タオルを示すもので、（Ａ）は平面図、（Ｂ）は背面図である。
【図２】同実施の形態の使用状態を示すものであり、（Ａ）は枕カバーの斜視図、（Ｂ）はケープの正面図、（Ｃ）はケープの背面図である。
【図３】（Ａ）は本考案の第２の実施の形態に係る多目的タオルの平面図、（Ｂ）は本考案の第２の実施の形態に係る多目的タオルの平面図である。
【図４】（Ａ）は本考案の第４の実施の形態に係る多目的タオルの平面図、（Ｂ）は本考案の第５の実施の形態に係る多目的タオルの平面図である。
【図５】第２〜第５の実施の形態の使用状態を示すものであり、（Ａ）はボレロの正面図、（Ｂ）はボレロの背面図である。
【考案を実施するための形態】
【００１２】
以下、図面に基づき本考案の実施の形態を説明する。
（第１の実施の形態）この実施の形態に係る多目的タオル１１は、前辺１２、後辺１３を長辺とし、左辺１４、右辺１５を短辺とした長方形であり、表裏の双方又は何れか一方に、パイルループやカットパイルが形成されている。
【００１３】
左辺１４には、その前後方向の中程に左枕用係止部２１が形成されている。また、その前後方向の前側に前左兼用係止部３１が形成され、後側に後左兼用係止部３３が形成されている。
【００１４】
左辺１４と対をなすようにして、右辺１５には、その前後方向の中程に右枕用係止部２２が形成されている。また、その前後方向の前側に前右兼用係止部３２が形成され、後側に後右兼用係止部３４が形成されている。
【００１５】
この例では、左辺１４の左枕用係止部２１、前左兼用係止部３１、後左兼用係止部３３は、いずれも雌のスナップボタンとして実施され、その嵌合部が裏面側に位置するように取り付けられている。他方、右辺１５の右枕用係止部２２、前右兼用係止部３２、後右兼用係止部３４は、いずれも雄のスナップボタンとして実施され、その嵌合部が表面側に位置するように取り付けられている。
【００１６】
（第１の実施の形態に係る使用状態）この多目的タオル１１は、通常の身体等を拭くためのタオルとして使用できることは勿論、図２（Ａ）に示すように、枕カバーとして使用できる。具体的には、枕１６に巻き付けて、左辺１４と右辺１５とを重ね合わせる。そして、前左兼用係止部３１と前右兼用係止部３２とを嵌合させ、左枕用係止部２１と右枕用係止部２２とを嵌合させ、後左兼用係止部３３と後右兼用係止部３４とを嵌合させる。これによって、多目的タオル１１が筒状となり、枕１６のカバーとして利用できる。なお、重なった左辺１４と右辺１５とは、枕１６の下側になるようにして使用する方が望ましい。
【００１７】
次に、図２（Ｂ）（Ｃ）に示すように、この多目的タオル１１はケープとしても使用できる。具的的には、多目的タオル１１を肩に掛けて、前辺１２側の前左兼用係止部３１と前右兼用係止部３２とを嵌合させる。このように、単にタオルを肩に掛けているだけではなく、前左兼用係止部３１と前右兼用係止部３２とを嵌合させているため、動いても、風に吹かれても、多目的タオル１１が肩から脱落するおそれがない。なお、前辺１２と後辺１３との位置関係を逆にしても、同様に着用することができる。また、多目的タオル１１の表裏を逆にして着用することも可能である。
【００１８】
（第２の実施の形態）この実施の形態に係る多目的タオル１１は、先の例と同様の長方形のタオルであり、先の例と同様のスナップボタン等の係止部が設けられている。
【００１９】
具体的には、図３（Ａ）に示すように、左辺１４の裏面側には、左枕用係止部２１、前左兼用係止部３１、後左兼用係止部３３が形成され、これと対をなすようにして、右辺１５の表面側には、右枕用係止部２２、前右兼用係止部３２、後右兼用係止部３４が形成されている。
【００２０】
この例では、左辺１４の左枕用係止部２１、前左兼用係止部３１は、先の例と同様、いずれも雌のスナップボタンとして実施され、その嵌合部が裏面側に位置するように取り付けられている。右辺１５の右枕用係止部２２、前右兼用係止部３２も、先の例と同様、いずれも雄のスナップボタンとして実施され、その嵌合部が表面側に位置するように取り付けられている。
【００２１】
ところが、左辺１４の後左兼用係止部３３は、先の例と異なり、雄のスナップボタンとして実施され、その嵌合部が裏面側に位置するように取り付けられている。また、右辺１５の後右兼用係止部３４は、先の例と異なり、雌のスナップボタンとして実施され、その嵌合部が表面側に位置するように取り付けられている。
【００２２】
（第２の実施の形態に係る使用状態）この多目的タオル１１は、前述と同様、図２（Ａ）に示すような枕カバーとして使用できる、図２（Ｂ）（Ｃ）に示すようなケープとしても使用できる。さらに、後左兼用係止部３３が雄のスナップボタンとして実施され、後右兼用係止部３４が雌のスナップボタンとして実施されいる。従って、多目的タオル１１の一方の対角線上にある前右兼用係止部３２と後左兼用係止部３３とは、雄のスナップボタンによって構成され、他方の対角線上にある前左兼用係止部３１と後右兼用係止部３４は、雌のスナップボタンによって構成されている。そのため、前左兼用係止部３１は、前右兼用係止部３２と後左兼用係止部３３と何れにも嵌合可能であり、また、後右兼用係止部３４も、前右兼用係止部３２と後左兼用係止部３３と何れにも嵌合可能である。その結果、前述の枕カバーとしての使用やケープとしての使用の他、ボレロとしての使用も可能となる。
【００２３】
具的的には、図５（Ａ）（Ｂ）に示すように、多目的タオル１１を着用者１７の肩に掛けて、左辺１４側の前左兼用係止部３１と後左兼用係止部３３とを嵌合させて、環状部を形成することができ、この環状部に着用者１７の左腕を通すことがきる。また、右辺１５側の前右兼用係止部３２と後右兼用係止部３４とを嵌合させて、環状部を形成することができ、この環状部に着用者１７の右腕を通すことがきる。なお、実際の着用では、多目的タオル１１を肩から両腕に掛けた状態で、前左兼用係止部３１と後左兼用係止部３３とを嵌合させると共に、前右兼用係止部３２と後右兼用係止部３４とを嵌合させるのが、楽な着用方法となる。これによって、ケープでは、腕がその下になるため、幾分腕を動かし難い場合があったが、ボレロでは、腕が比較的自由に動かすことができる。
【００２４】
ここで、多目的タオル１１の表側が表面側となるように、多目的タオル１１の上下方向の略中央で山折りした状態では、左辺１４の前左兼用係止部３１と後左兼用係止部３３とは山折りした内側で向き合う状態となるため、そのまま嵌合させることができる。これに対して、右辺１５の前右兼用係止部３２と後右兼用係止部３４とは、上記の山折り状態では、山折りした外側に位置することになるため、前右兼用係止部３２と後右兼用係止部３４の付近の布をそれぞれの内側に折り返して、嵌合させる必要がある。
【００２５】
これに対して、図３（Ｂ）の例では、左辺１４の左枕用係止部２１、前左兼用係止部３１、後左兼用係止部３３、右辺１５の右枕用係止部２２、前右兼用係止部３２、後右兼用係止部３４の全ての嵌合部が裏側になるようにして取り付けたものである。これによって、ボレロでは、左辺１４の前左兼用係止部３１と後左兼用係止部３３との嵌合が、右辺１５の前右兼用係止部３２と後右兼用係止部３４との嵌合と同様、自然な状態で行なうことができる。但し、図２（Ａ）の枕カバーとしての利用や、図２（Ｂ）のケープとしての利用の場合には，左辺１４と右辺１５とが突き合わせ状態で、各スナップボタンを嵌合させることになる。
【００２６】
図４（Ａ）の例は、図３（Ａ）左枕用係止部２１、右枕用係止部２２、前左兼用係止部３１、前右兼用係止部３２、後左兼用係止部３３、後右兼用係止部３４はそのままとし、右辺１５の前辺１２寄りに前右ボレロ用係止４２を設けると共に、後辺１３寄りに後右ボレロ用係止４４を設けたものである。これらは共に裏側に嵌合部を有するように取り付けられることによって、ボレロとしての着用時において、右辺１５の前右兼用係止部３２と後右兼用係止部３４との嵌合と同様、自然な状態での嵌合が可能となる。
【００２７】
図４（Ｂ）の例は、図１の例における左枕用係止部２１、右枕用係止部２２、前左兼用係止部３１、前右兼用係止部３２、後左兼用係止部３３、後右兼用係止部３４はそのままとし、左辺１４及び右辺１５の前辺１２寄りに前左ボレロ用係止４１、前右ボレロ用係止４２を設けると共に、左辺１４及び右辺１５の後辺１３寄りに後左ボレロ用係止４３、後右ボレロ用係止４４を設けたものである。これらは、いずれも裏側に嵌合部がくるようにしており、ボレロとしての着用時において、山折りの内側で向き合った状態となり、自然な状態での嵌合が可能となる。
【符号の説明】
【００２８】
１１  タオル
１２  前辺
１３  後辺
１４  左辺
１５  右辺
１６  枕
１７  着用者
２１  左枕用係止部
２２  右枕用係止部
３１  前左兼用係止部
３２  前右兼用係止部
３３  後左兼用係止部
３４  後右兼用係止部
４１  前左ボレロ用係止部
４２  前右ボレロ用係止部
４３  後左ボレロ用係止部
４４  後右ボレロ用係止部
【図１】
0003183966.tif 000003
【図２】
0003183966.tif 000004
【図３】
0003183966.tif 000005
【図４】
0003183966.tif 000006
【図５】
0003183966.tif 000007